(57)【特許請求の範囲】
【請求項１】
入口側が上流側管路と接続され、出口側が下流側管路に接続される流路の出口側のガスの圧力をメインダイヤフラムによって感知し、この感知した圧力を基に、駆動部を介して上流側管路から下流側管路へ送出するガスの圧力を第１の設定圧力値となるように調整する調整弁部と、前記調整弁部の上方に調整ばねを介して設けられ、下流側管路のガスの圧力が前記第１の設定圧力より大きな第２の設定圧力値以上になると、前記調整弁部に替わり作動し、前記第２の設定圧力値より小さくなると、遮断した状態から遮断していない状態への復帰を自動的に行う遮断弁部と、前記調整弁部の下端と連動部を介して連動し、前記流路の入口側のガスの圧力を感知するバランスダイヤフラムと、前記バランスダイヤフラムを支持すると共に第１のねじ部を有する支持部とを備えた整圧装置の前記遮断弁部の作動を確認するための方法であって、
前記支持部の第１のねじ部に螺合可能な第２のねじ部を有する治具を用い、前記第２のねじ部と第１のねじ部とを螺合させるに伴って前記連動部を押し上げることによって、前記調整弁部を強制的に開くと共に、前記調整弁部が開いたままの状態で上流側管路のガスの圧力を変化させて下流側管路のガスの圧力の上昇の有無を調べることにより、上流側管路のガスの圧力に対する遮断弁部の作動状態を確認する
ことを特徴とする整圧装置の作動確認方法。
【請求項２】
前記治具の底部の中心には突状部が設けられ、前記突状部が前記連動部を押し上げる
ことを特徴とする請求項３記載の整圧装置の作動確認方法。
【発明の詳細な説明】
【０００１】
【産業上の利用分野】
本発明は、上流側管路から下流側管路へ送出するガスの圧力を調整する調整弁部、および、下流側管路のガスの圧力が所定の設定圧力値以上になると作動する遮断弁部を備えた整圧装置の作動確認方法に係り、特に遮断弁部の作動を確認するための整圧装置の作動確認方法に関する。
【０００２】
【従来の技術】
整圧装置は、上流側管路のガスの圧力変動や負荷流量に関係なく、下流側管路内のガスの圧力を所定の圧力値となるように調整するものである。
【０００３】
整圧装置では、通常、圧力感知部において感知された圧力を基に、調整弁部によって上流側管路から下流側管路へ送出するガスの圧力が調整される。一方、圧力感知部において所定の設定圧力値以上の圧力が感知されると、遮断弁部が作動し、上流側管路からのガスが遮断される。なお、下流側管路のガスの圧力が設定圧力値より低くなると、遮断弁部で遮断した状態から遮断していない状態への復帰は自動的に行われ、調整弁部に切り替わる。
【０００４】
【発明が解決しようとする課題】
しかしながら、このような整圧装置では、整圧装置の作動状態、特に下流側管路で異常昇圧が生じて遮断弁部が作動した場合、この遮断弁部の閉止を確認することができない。そのため、別途、特別な補助装置を用いなければいけないという問題があった。
【０００５】
本発明はかかる問題点に鑑みてなされたもので、その目的は、設置現場において特別な補助装置などを必要とせずに、遮断弁部の状態を簡単に点検することが可能となる整圧装置の作動確認方法を提供することにある。
【０００６】
【課題を解決するための手段】
本発明による整圧装置の作動確認方法は、入口側が上流側管路と接続され、出口側が下流側管路に接続される流路の出口側のガスの圧力をメインダイヤフラムによって感知し、この感知した圧力を基に、駆動部を介して上流側管路から下流側管路へ送出するガスの圧力を第１の設定圧力値となるように調整する調整弁部と、前記調整弁部の上方に調整ばねを介して設けられ、下流側管路のガスの圧力が前記第１の設定圧力より大きな第２の設定圧力値以上になると、前記調整弁部に替わり作動し、前記第２の設定圧力値より小さくなると、遮断した状態から遮断していない状態への復帰を自動的に行う遮断弁部と、前記調整弁部の下端と連動部を介して連動し、前記流路の入口側のガスの圧力を感知するバランスダイヤフラムと、前記バランスダイヤフラムを支持すると共に第１のねじ部を有する支持部とを備えた整圧装置の前記遮断弁部の作動を確認するための方法であって、前記支持部の第１のねじ部に螺合可能な第２のねじ部を有する治具を用い、前記第２のねじ部と第１のねじ部とを螺合させるに伴って前記連動部を押し上げることによって、前記調整弁部を強制的に開くと共に、前記調整弁部が開いたままの状態で上流側管路のガスの圧力を変化させて下流側管路のガスの圧力の上昇の有無を調べることにより、上流側管路のガスの圧力に対する遮断弁部の作動状態を確認するものである。
【０００７】
この整圧装置の作動確認方法では、本体部の底部の蓋部と実質的に同じ形状の治具を用いることにより、遮断弁部の状態が容易に確認される。
【０００８】
【発明の実施の形態】
以下、本発明の実施の形態について図面を参照して説明する。
【０００９】
図１は、本発明の一実施の形態に係る整圧装置１０の概略断面構成を表すものである。この整圧装置１０は、互いに隔てられた上流側管路１１と下流側管路１２との境界に設けられるものである。
【００１０】
整圧装置１０は、本体部２１の中にガスの流路２２を有している。この流路２２は、入口２２ａがフランジ２２Ａ，１１Ｂ同士が連結されることにより上流側管路１１に接続され、出口２２ｂがフランジ部２２Ｂ，１２Ａ同士が連結されることにより下流側管路１２に接続されると共に、出口２２ｂ側に狭管部２２Ｃを有している。流路２２には、入口２２ａ側と出口２２ｂ側との間に仕切部２３Ａ，２３Ｂが設けられている。この仕切部２３Ａ，２３Ｂの間には、空洞を有する筒体部２４が配設されている。筒体部２４の側面には金網等からなる筒状ストレーナ２５の一端が接続され、その他端は本体部２１の底部と接続されている。筒体部２４の内部には弁部３０が設けられている。この弁部３０は、下流側管路１２へ送出されるガスの圧力を設定圧力値Ｐ1 （第１の設定圧力値）となるように調整し、下流側管路１２のガスの圧力がＰ1 より大きな設定圧力値Ｐ2 （第２の設定圧力値）以上になると上流側管路１１からのガスを遮断する機能を有するものである。弁部３０の上方には、この弁部３０を駆動するための駆動部４０と、この駆動部４０を制御するための圧力感知部５０とが設けられている。一方、弁部３０と本体部２１の底部との間には、補助制御部６０が設けられている。本体部２１の底部には、補助制御部６０の外側に設けられた雄ねじ部２１Ａにねじ込むことによりキャップ部２１Ｂが取り付けられる。なお、雄ねじ部２１Ａは本発明の「第１のねじ部」の一具体例に対応している。
【００１１】
弁部３０は、調整弁部３１および遮断弁部３２により構成されている。調整弁部３１は、筒体部２４で仕切部２３Ａ，２３Ｂより下方に設けられる弁座３１Ａと、駆動部４０に連動され、弁座３１Ａと所定の間隔をおいて上方に設けられる弁体３１Ｂとにより構成されている。この調整弁部３１は、駆動部４０によって弁体３１Ｂが上下に駆動され、弁体３１Ｂと弁座３１Ａとの間隔が調整されて下流側管路１２へのガスの圧力が設定圧力値Ｐ1 となるように調整するものである。一方、遮断弁部３２は、筒体部２４で仕切部２３Ａ，２３Ｂより上方に設けられる弁座３２Ａと、駆動部４０に連動され、弁座３２Ａと所定の間隔をおいて上方に設けられ、調整弁部３１の上方に調整ばね３３を介して接続される弁体３２Ｂとにより構成されている。この遮断弁部３２は、下流側管路１２のガスの圧力が設定圧力値Ｐ2 以上になると、駆動部４０によって、調整ばね３３が圧縮されることにより、弁体３２Ｂが弁座３２Ａに押し付けられて、下流側管路１２へのガスの送出を停止するものである。
【００１２】
駆動部４０は、一端が弁部３０と接続され、弁部３０を駆動する弁棒４１と、弁棒４１の他端と固定支軸４２を介して連設され、固定支軸４２を中心にして回動するレバー４３と、レバー４３の一端に接続される連動子４４とにより構成されており、連動子４４に接続されたレバー４３が固定支軸４２を中心として時計回りあるいは反時計回りに回動し、レバー４３に連設された弁棒４１が上方あるいは下方に動くことにより弁部３０を駆動するようになっている。
【００１３】
圧力感知部５０には、連動子４４の他端が固定され、連動子４４に感知した圧力を伝達するメインダイヤフラム５１が設けられている。圧力感知部５０は、このメインダイヤフラム５１によって２つの部屋、すなわち、駆動部４０側において下流側管路１２の圧力を制御する圧力制御室５２と、通気口（図示せず）を介して大気に連通された大気連通室５３とに分けられている。
【００１４】
圧力制御室５２と流路２２の狭管部２２Ｃの下流側との間には管路５７が設けられており、圧力制御室５２に狭管部２２Ｃにおけるガスの圧力が伝達されるようになっている。メインダイヤフラム５１の大気連通室５３側には、開口部５４Ａを有する受圧板５４が設けられ、また、大気連通室５３のキャップ部５３Ａには調整ねじ５６が組み込まれている。この調整ねじ５６には調整ばね５５の一端が固定され、この調整ばね５５の他端側が受圧板５４の開口部５４Ａを介してメインダイヤフラム５１に固定されており、メインダイヤフラム５１を圧力制御室５２方向に付勢している。なお、調整ばね５５の付勢力は、調整ねじ５６をキャップ部５３Ａにねじ込むことにより調整できるようになっている。
【００１５】
本体部２１の底部には開室６１が設けられ、この開室６１により補助制御部６０が構成されている。開室６１と流路２２とは通孔２１ａを介して互いに接続されている。開室６１にはバランスダイヤフラム６２が設けられており、このバランスダイヤフラム６２が通孔２１ａを介して上流側管路１１のガスの圧力を感知するようになっている。バランスダイヤフラム６２の上側には、連動子６３を介して、この感知された圧力を基に駆動される弁棒６４が設けられている。この弁棒６４の上端には、調整弁部３１の弁体３１Ｂが接続されている。バランスダイヤフラム６２の外側には、バランスダイヤフラム６２を支持するバランスダイヤフラムガイド６５が設けられている。このバランスダイヤフラムガイド６５の外周部には雄ねじ部２１Ａが形成されており、この雄ねじ部２１Ａにはキャップ部２１Ｂ又は後述の治具７０に形成された雌ねじ部が螺合可能となっている。
【００１６】
このような補助制御部６０は、バランスダイヤフラム６２によって、流路２２の入口２２ａ側の圧力変動を感知することにより、この圧力変動により弁部３０が作動するために設定した零点がずれないように調整するものである。なお、バランスダイヤフラムガイド６２は本発明の「支持部」、連動子６３は本発明の「連動部」の一具体例にそれぞれ対応している。
【００１７】
この整圧装置１０では、まず、管路５７を通して圧力感知部５０で感知された下流側管路１２の圧力を基に、駆動部４０を介して調整弁部３１によって下流側管路１２のガスの圧力が設定圧力値Ｐ1 となるように調整する。例えば、下流側管路１２の圧力が上昇したとき、管路５７を通じて下流側管路１２のガスの圧力が伝えられ、圧力制御室５２の圧力が上昇する。この圧力制御室５２の圧力が、調整ばね５５の付勢力と大気圧による大気連通室５３側の圧力より大きくなると、メインダイヤフラム５１が大気連通室５３側に変位する。この大気連通室５３側に移動したメインダイヤフラム５１に固定された連動子４４を介して、レバー４３が固定支軸４２を中心として反時計回りに回動し、レバー４３に連設された弁棒４１が下方に変位する。この下方に移動した弁棒４１によって、調整弁部３１の開度、すなわち弁体３１Ｂと弁座３１Ａとの間の間隔が小さくなって、下流側管路１２の圧力が設定圧力値Ｐ1 となるように調整される。
【００１８】
なお、調整弁部３１の弁座３１Ａと弁体３１Ｂとの間に異物が噛み込まれる等して閉止されず、下流側管路１２のガスの圧力が遮断弁部３２で設定された圧力値である設定圧力値Ｐ2 以上になると、管路５７を通じて下流側管路１２のガスの圧力が伝えられ、圧力制御室５２の圧力が上昇し、メインダイヤフラム５１が大気連通室５３側に更に移動し、このメインダイヤフラム５１に固定された連動子４４を介して、レバー４３が固定支軸４２を中心として反時計回りに回動し、レバー４３に連設された弁棒４１が更に下方に移動する。この下方に移動した弁棒４１によって、調整ばね３３が圧縮され、遮断弁部３２における弁体３２Ｂが弁座３２Ａに押し付けられて、下流側管路１２へのガスの送出が停止される。なお、下流側管路１２のガスの圧力が設定圧力値Ｐ2 より低下すると、遮断弁部３２が遮断した状態から遮断していない状態への復帰が自動的に行われ、調整弁部３１に切り替わり、前述したように調整弁部３１によって下流側管路１２のガスの圧力が調整される。
【００１９】
次に、図２ないし図４を参照して、整圧装置１０の遮断弁部３２の作動確認方法について説明する。なお、図２は、遮断弁部３２の作動を確認する際に用いる治具７０の斜視図を表している。なお、図３および図４は弁部３０付近を拡大したものを表している。
【００２０】
この治具７０は、キャップ部２１Ｂの代わりに雄ねじ部２１Ａにねじ込むためのものである。この治具７１は、円形状の底部７１を有し、この底部７１の中心には突状部７２が立設されている。底部７１の周縁部には筒状の側部７３が設けられており、この側部７３の内壁面には雌ねじ部７３Ａが形成されている。なお、この治具７０を雄ねじ部２１Ａにねじ込み、雌ねじ部７３Ａと雄ねじ部２１Ａとを螺合させるに伴って、治具７０の突状部７２により、連動子６３の底部が押し上げられるようになっている。なお、雌ねじ部７３Ａは本発明の「第２のねじ部」の一具体例に対応している。
【００２１】
次に、このような構成を有する治具７０を用いて、遮断弁部３２の作動を確認する方法について説明する。図４（Ａ）に示したように、上流側管路１１の圧力を上昇させると、この圧力が上昇したガスが下流側管路１２に送出されて、管路５７を通じて圧力感知部５０で感知される。この感知された圧力を基に、駆動部４０によって調整弁部３１の開度、すなわち弁体３１Ｂと弁座３１Ａとの間の間隔が小さくなるように駆動され、下流側管路１２の圧力が設定圧力値Ｐ1 に調整される。そして、上流側管路１１の圧力を更に上昇させていくと、調整弁部３１が弁体３１Ｂが弁座３１Ａに押し付けられて閉止するようになる。
【００２２】
次に、キャップ部２１Ｂを本体部２１の雄ねじ部２１Ａから外し、代わりに治具７０を本体部２１の雄ねじ部２１Ａにねじ込む。すなわち、治具７０の雌ねじ部７３Ａとバランスダイヤフラムガイド６５の外周部に形成された雄ねじ部２１Ａとを螺合させる。これにより、治具７０の突状部７２が連動子６３を押し上げ、閉止した調整弁部３１が強制的に開かれる。調整弁部３１が開かれることにより、上流側管路１１の上昇したガスが下流側管路１２へ送出されて、上昇したガスの圧力が管路５７を通じて圧力感知部５０に伝達される。この感知された圧力が設定圧力値Ｐ2 以上になると、遮断弁部３２に不具合がない場合には、駆動部４０によって、調整ばね３３が圧縮されることにより、弁体３２Ｂが弁座３２Ａに押し付けられて、上流側管路１１からのガスが遮断され、下流側管路１２のガスの圧力は上昇しない。一方、遮断弁部３２に不具合がある場合には、遮断弁部３２は作動せず、下流側管路１２のガスの圧力は上昇する。
【００２３】
従って、この整圧装置１０では、治具７０を用いて調整弁部３１を強制的に開き、上流側管路１１のガスの圧力を変化させて下流側管路１２の圧力の上昇の有無を調べることにより、上流側管路１１のガスの圧力変動に対する遮断弁部３２の作動を確認することができる。よって、特別な補助装置などが不要であり、設置現場において遮断弁部３２の作動状態を簡単に点検することが可能となる。
【００２４】
以上、実施の形態を挙げて本発明を説明したが、本発明は上記実施の形態に限定されるものではなく、種々変形が可能である。例えば、上記実施の形態の整圧装置の構成要素やその配置は図１に示したものに限られない。また、メインダイヤフラム５１は直動式またはパイロット式を問わず利用可能である。
【００２５】
【発明の効果】
以上説明したように本発明の整圧装置の作動確認方法によれば、キャップ部を取り外して、ほぼ同形状の治具を雄ねじ部にねじ込んで、調整弁部を強制的に開き、上流側管路のガスの圧力を変化させて、下流側管路のガスの圧力の上昇の有無を調べることにより、上流側管路のガスの圧力変動に対する遮断弁部の作動状態を確認するようにしたので、設置現場において特別な補助装置などを必要とせずに、遮断弁部の作動状態を簡単に点検することが可能となる。
【図面の簡単な説明】
【図１】本発明の一実施の形態に係る整圧装置の概略構成を表す図である。
【図２】整圧装置の作動確認用の治具の斜視図である。
【図３】図１に示した整圧装置の作動確認方法を説明するための図である。
【図４】図１に示した整圧装置の作動確認方法を説明するための図である。
【符号の説明】
１０・・・ 整圧装置、１１・・・ 上流側管路、１１Ｂ，１２Ａ，２２Ａ，２２Ｂ・・・ フランジ、１２・・・ 下流側管路、２１・・・ 本体部、２１Ａ・・・ 雄ねじ部、２１ａ・・・ 通孔、２１Ｂ・・・ キャップ部、２２・・・ 流路、２２ａ・・・ 入口、２２ｂ・・・ 出口、２３Ａ，２３Ｂ・・・ 仕切部、２４・・・ 筒体部、２５・・・ ストレーナ、３０・・・ 弁部、３１・・・ 調整弁部、３１Ａ，３２Ａ・・・ 弁座、３１Ｂ，３２Ｂ・・・ 弁体、３２・・・ 遮断弁部、３３，５５・・・ 調整ばね、４０・・・ 駆動部、４１，６４・・・ 弁棒、４２・・・ 固定支軸、４３・・・ レバー、４４，６３・・・ 連動子、５０・・・ 圧力感知部、５１・・・ メインダイヤフラム、５２・・・ 圧力制御室、５３・・・ 大気連通室、５４・・・ 受圧版、５４Ａ・・・ 開口部、５６・・・ 調整ねじ、５７・・・ 管路、６１・・・ 開室、６２・・・ バランスダイヤフラム、６５・・・ バランスダイヤフラムガイド、７０・・・ 治具、７１・・・ 底部、７２・・・ 突状部、７３・・・ 側部、７３Ａ・・・ 雌ねじ部
【図１】
0003724717.tif 000002
【図２】
0003724717.tif 000003
【図３】
0003724717.tif 000004
【図４】
0003724717.tif 000005